(57)【要約】  【課題】  熱交換器温度をある一定の温度範囲に保つと共に、圧縮機吸入圧力上昇による圧縮機破壊を回避し、快適性を損なわず効果的に機器の露付きを制御する。  【解決手段】  空気調和装置の室内熱交換器温度１３が低下すると、室内熱交換器温度設定記憶装置１の温度より高くするために圧縮機２の運転周波数を下げて運転するが、圧縮機２の吸入圧力検知装置１０の値が吸入圧力設定記憶装置２９の値を上回ると吸入管８に設けた電動膨張弁９の弁解度を上回るまで閉じる方向に制御する。  【選択図】  図１
2005055053.tif 000002
【特許請求の範囲】
【請求項１】
圧縮機、室外熱交換器、送風機、冷媒液管、冷媒ガス管とを有する室外機と、熱交換器及び送風機を有する室内機を接続し、前記冷媒液管の途中に電動冷媒膨張弁を介装して冷凍サイクルを構成し、少なくとも前記室外機の冷媒吸入管に吸入圧力検知装置と冷媒流量調整装置を設け、前記吸入圧力検知装置の制御装置の信号により前記冷媒流量調整装置を制御する制御装置を設けたことを特徴とする空気調和装置。
【請求項２】
室外機に少なくとも室外吸込み温度を検出する室外吸込み温度検知装置と前記室内機に室内吸込み温度を検出する室内吸込み温度検知装置と室内機の熱交換器に熱交換器の温度を検出する室内熱交換器温度検知装置とを設け、前記室外吸込み温度検知装置と前記室内吸込み温度検知装置と前記室内熱交換器温度検知装置との信号により圧縮機の回転数と電動膨張弁を制御し、さらに、吸入圧力検知装置と室内熱交換器温度検知装と前記圧縮機の制御装置の信号により、冷媒流量調整装置を制御する制御装置を設けたことを特徴とする、請求項１記載の空気調和装置。
【請求項３】
吸入管の一部を少なくとも２本に分岐された分岐管で構成し、前記分岐管の少なくとも１本に電磁二方弁を設け、吸入圧力検知装置と室内熱交換器温度検知装置と圧縮機の制御装置の信号により、前記電磁二方弁を開閉制御する制御装置を設けたことを特徴とする、請求項２記載の空気調和装置。
【発明の詳細な説明】
【技術分野】
【０００１】
本発明は、圧縮機をインバータにより可変制御する空気調和システムに関する。
【背景技術】
【０００２】
従来の空気調和機では、容量（周波数）可変形圧縮機を用い、図１０に示すように室内機の熱交換器温度が露付き制御設定値Ｔxに達すると容量（周波数）を制御し、室内機の吹き出し口等の露付きを回避するものが提案されている（例えば、特許文献１参照）。
【特許文献１】特開平４−１０６３５７号公報
【発明の開示】
【発明が解決しようとする課題】
【０００３】
しかしながら、従来の空気調和装置では、圧縮機のオイル供給は圧縮機回転数に依存し、容量（周波数）を下げすぎた場合圧縮機メカ部へのオイル供給能力が低下し、圧縮機の信頼性が著しく低下するため、容量（周波数）の低下には下限があった。また、容量（周波数）の低下により圧縮機の吸入圧力が上昇し、軸受け過重が増加しスラスト軸受けの損傷がおき圧縮機の信頼性が著しく低下するため、圧縮機容量（周波数）低下で熱交換器の温度上昇による露付き回避制御やサーモオフ寸前の低能力運転（低周波数運転）には限界があった。
【０００４】
本発明は上記従来の欠点を解消するもので、圧縮機などの機器を保護しながら快適性を損なわず効果的に機器を制御するものである。
【課題を解決するための手段】
【０００５】
上記課題を解決するために本発明は、室内機熱交換器温度と圧縮機吸入圧力検知装置の信号により圧縮機吸入管に設けた冷媒流量調整装置を制御するものである。
【０００６】
この構成をなすことにより、室内熱交換器をある一定の温度範囲に保ち、圧縮機などの機器を保護し、かつ快適性を損なわず効果的に機器を制御することが可能となる。
【発明の効果】
【０００７】
以上のように、本発明のこうせいによれば、露付き制御時やサーモオフ寸前の低能力運転時の圧縮機低周波運転時でも吸入圧力を低い状態で運転でき（室内熱交換器温度は高い状態）、圧縮機などの機器を保護しながらかつ快適性を損なわず効果的に空気調和装置の運転が可能となる。
【０００８】
また、空気調和装置の室内機の吹き出し口周りの露付きを回避できると同時に圧縮機の最低運転周波数を高く設定でき、圧縮機の信頼性がさらに向上する。よって、圧縮機などの機器を保護しながらかつ快適性を損なわず効果的に空気調和装置の運転が可能となる。
【０００９】
さらに、電磁弁を使用することによりコストダウンが図られる
【発明を実施するための最良の形態】
【００１０】
以下、本発明の実施の形態について、図面を参照しながら説明する。
【００１１】
（実施の形態１）
図１は、本発明の実施の形態1における空気調和機の冷凍サイクル図の一例であり、図２は制御ブロック図、図３はフローチャート図である。
【００１２】
図１において、室外機１にはインバータ駆動の容量（周波数）可変形圧縮機２（以下単に圧縮機と称す）と、室外熱交換器３と、室外送風機４、冷媒液管５と、冷媒ガス管６と、冷暖房切換用の四方弁７と圧縮機２の冷媒吸入管８にモータ等により弁開度をパルス制御可能な電動冷媒膨張弁９と圧縮機２の吸入圧力を検知する吸入圧力検知装置１０が設けられている。
【００１３】
又、室外機１には室外の温度を検出する室外吸込み温度検知装置１１が設けられている。
【００１４】
一方、室内機１２には室内熱交換器１３と、室内送風機１４と、室外機とつながる冷媒液管５と室内熱交換器１３の間にモータ等により弁開度（以下、パルスと称す）を制御可能な冷媒流量調整装置の電動冷媒膨張弁１５と、室内熱交換器１３に熱交換器の温度を検出する室内熱交換器温度検知装置１６が設けられている。
【００１５】
また、室内機１２には部屋の室温を検出する室内吸込み温度検知装置１７と、居住者が希望する運転モード（冷房または暖房）と室温と運転あるいは停止を設定できる運転設定装置１８が設けられている。
【００１６】
上記構成の冷凍サイクルにおいて、冷房あるいは除湿運転時、圧縮機２から吐出された冷媒は四方弁７を介して室外熱交換器３へと流れ、室外送風機４の駆動により室外熱交換器３で室外空気と熱交換して凝縮液化し、次に電動冷媒膨張弁１５を通過することにより減圧された冷媒は室内熱交換器１３で蒸発した後に、冷媒ガス管６を通り四方弁７を介して再び圧縮機２に吸入される。
【００１７】
次に、本発明の圧縮機周波数の制御及び冷媒吸入管の電動膨張弁の制御の流れについて
図２、図３を用いて説明する。
【００１８】
本発明の空気調和機の制御装置１９には、居住者が希望する運転モード切替スイッチ２０（冷房、ドライ、送風または暖房）と室内温度設定スイッチ２１と運転停止スイッチ２２で構成されている運転設定装置１８の信号を記憶する運転モード記憶装置２３と、室内吸込み温度検知装置１７と、室内吸込み温度の設定値を記憶する室内吸込み温度設定記憶装置２４と、室外吸込み温度検知装置１１と、室外吸い込み温度の設定値を記憶する室外吸込み温度設定記憶装置２５と、圧縮機２の冷媒吸入管８に設けられた吸入圧力検知装置１０と、吸入圧力値の上限設定値を記憶する吸入圧力設定記憶装置２９と以上の信号を定期的に検出するためのサンプリング時間を設定する運転時間設定記憶装置３０と、以上の信号をサンプリング時間毎受けて圧縮機２の運転周波数や圧縮機２の冷媒吸入管８に設けられた電動膨張弁９の弁開度を決定する判定装置３１と判定装置３１の信号により、圧縮機２や電動膨張弁９を駆動する出力リレー回路３２を有している。
居住者が運転停止スイッチ２２を選択すると、運転モード記憶装置２３、室内吸込み温度検知装置１７、室外吸込み温度検知装置１１、室内吸い込み温度設定記憶装置２４、室外吸い込み温度設定記憶装置２５の信号により判定装置３１が圧縮機２の基本運転周波数Hz0を決定し出力リレー回路３２が圧縮機２を駆動するが（図３、ＳＴＥＰ０）、室内温度設定スイッチ２１の信号と室内吸込み温度検知装置１７の信号の差が小さいと判定装置３１が判断すると圧縮機２の周波数を下げ（ＳＴＥＰ２）さげ小さい能力で運転を行なうが、このとき吸入圧力検知装置１０の値（Ｐｓ）が吸入圧力設定記憶装置２９の値（Ｐａ）を上回ると（ＳＴＥＰ３）、下回るまで電動膨張弁９のパルスを減じる様に制御を行う（現状パルスＰｅｘよりＰＡパルス減じ、流量が少なくなる方向へ制御）（ＳＴＥＰ４）。
【００１９】
そして、この構成のよれば、圧縮機周波数低下による圧縮機吸入圧力に伴う圧縮機破壊を回避でき、機器の信頼性及び機器の信頼性及び圧縮機の信頼性が向上する。よって、圧縮機などの機器を保護しながらかつ快適性を損なわず効果的に空気調和装置の運転が可能となる。
【００２０】
（実施の形態２）
図１は、本発明の実施の形態１における空気調和機の冷凍サイクル図の一例であり、図４は制御ブロック図、図５はフローチャート、図６は温度ゾーン図である。
【００２１】
本発明にかかる空気調和機の冷凍サイクル図は実施の形態１と同様なので説明は省略する。
【００２２】
次に、本発明の圧縮機周波数の制御及び冷媒吸入管の電動膨張弁の制御の流れについて
図４、図５、図６を用いて説明する。
【００２３】
本発明の空気調和機の制御装置１９には、居住者が希望する運転モード切替スイッチ２０（冷房、ドライ、送風または暖房）と室内温度設定スイッチ２１と運転停止スイッチ２２で構成されている運転設定装置１８の信号を記憶する運転モード記憶装置２３と、室内吸込み温度検知装置１７と、室内吸込み温度の設定値を記憶する室内吸込み温度設定記憶装置２４と、室外吸込み温度検知装置１１と、室外吸い込み温度の設定値を記憶する室外吸込み温度設定記憶装置２５と、室内熱交換器温度検知装置１６と、室内側の熱交換器温度の判定値を記憶する室内熱交換器温度設定記憶装置１（２６）,室内熱交換器温度設定記憶装置２（２７）と、圧縮機２の運転周波数の下限設定値を記憶する圧縮機最低周波数設定記憶装置２８と、圧縮機２の冷媒吸入管８に設けられた吸入圧力検知装置１０と、吸入圧力値の上限設定値を記憶する吸入圧力設定記憶装置２９と、以上の信号を定期的に検出するためのサンプリング時間を設定する運転時間設定記憶装置３０と、以上の信号をサンプリング時間毎受けて圧縮機２の運転周波数や圧縮機２の冷媒吸入管８に設けられた電動膨張弁９の弁開度を決定する判定装置３１と判定装置３１の信号により、圧縮機２や電動膨張弁９を駆動する出力リレー回路３２を有している。
【００２４】
居住者が運転モード切替スイッチ２０で冷房またはドライを選択すると、運転モード記憶装置２３、室内吸込み温度検知装置１７、室外吸込み温度検知装置１１、室内吸い込み温度設定記憶装置２４、室外吸い込み温度設定記憶装置２５の信号により判定装置３１が圧縮機２の基本運転周波数Ｈｚ0を決定し出力リレー回路３２が圧縮機２を駆動するが（図５、ＳＴＥＰ０）、室内吸い込み温度検知装置１７の値が室内吸込み温度設定記憶装置２４（ここでは例えば２７℃）、室外吸い込み温度検知装置１１の値が室外吸込み温度設定記憶装置２５（ここでは例えば２７℃）以下の場合は、吹き出し温度が低いと室内機１２の吹き出し回りに露がつく可能性があると判断し、図６に示す様に室内熱交換器１３の温度がＴｄ℃以下（図６のＣゾーン）に突入すると（ＳＴＥＰ９）判定装置３１が圧縮機２の運転周波数をダウン（ここでは例えば前の運転周波数の０．９倍の値）するように出力リレー回路３２に指示を出し、低い周波数で圧縮機２を駆動し圧縮機２の能力を低下させ、室内熱交換器１３の温度を上ることにより、吹き出し温度を上昇させ、吹き出し口の周りに露がつかない様に制御する（ＳＴＥＰ１２）。
【００２５】
判定装置３１は運転時間設定記憶装置３０に設定された時間ごとに以上の動作を繰り返すが、図６に示す様に、室内熱交換器温度１３の値がＴｃ℃以上（図６のＢゾーン）に上昇すると判定装置３１は圧縮機２の周波数ダウンをやめ、現周波数を維持する。このＢゾーンは室内機１２の吹き出し口に露が付かない各々の室内機固有の下限熱交換器温度に設定されている。
【００２６】
再び温度がＴｄ℃以下（Ｃゾーンに突入）になると周波数ダウンを行うが、室内熱交換器１３の温度がＴａ℃以上（図６のＡゾーンに突入）になると（ＳＴＥＰ７）、判定装置３１は室内熱交換器１３の温度が十分高く、吹き出し温度も十分に高いと判断し、圧縮機２の運転周波数を基本運転周波数Ｈｚ0に戻す様に制御を行う（ＳＴＥＰ８）。
しかし、室内熱交換器１３の温度がＴｄ℃以下（図６のＣゾーン）に突入し、判定装置３１が圧縮機２の運転周波数のダウンを繰り返すことにより、吸入圧力検知装置１０の値
（Ｐｓ）が吸入圧力設定記憶装置２９の値（Ｐａ）を上回る（ＳＴＥＰ５）、下回るまで電磁膨張弁９のパルスを減じる様に制御を行う（現状パルスＰｅｘよりＰＡパルス減じ、流量が少なくなる方向へ制御）（ＳＴＥＰ６）。
【００２７】
また、室内熱交換器１３の温度がＴｄ℃以下（図６のＣゾーン）に突入し、判定装置３１が圧縮機２の運転周波数のダウンを繰り返し、運転周波数（Ｈｚ）が運転周波数の下限値を設定した圧縮機最低周波数設定記憶装置２８の値（Ｈｚａ）に達すると（ＳＴＥＰ１０）、室内熱交換器１３の温度がＴｃ℃以上（図３のBゾーン）になるまで電磁膨張弁９のパルスを減じる様に制御を行う（現状パルスＰｅｘよりＰＡパルス減じ、流量が少なくなる方向へ制御）（ＳＴＥＰ１１）。
【００２８】
ここで、圧縮機最低周波数設定記憶装置２９の値は圧縮機２のメカ部にオイルを供給するのに必要な最低周波数で、これ以上周波数を下げるとオイルの供給が不足し、圧縮機２が破壊に至るという個々の圧縮機に固有の性能確保に大切で厳守すべき重要なスペックである。
【００２９】
そしてこの構成のよれば、空気調和装置の室内機の吹き出し口周りの露付きを回避できると同時に圧縮機吸入圧力の上昇による圧縮機破壊を回避でき、機器の信頼性及び圧縮機の信頼性が向上する。
よって、圧縮機などの機器を保護し、かつ快適性を損なわず効果的に空気調和装置の運転が可能となる。
【００３０】
（実施の形態３）
図７は、本発明の実施の形態３における空気調和機の冷凍サイクル図の一例であり、図８は制御ブロック図、図９はフローチャート、図６は温度ゾーン図である。
図７において、室外機１にはインバータ駆動の容量（周波数）可変形圧縮機２（以下単に圧縮機と称す）と、室外熱交換器３と、室外送風機４、冷媒液管５と、冷媒ガス管６と、冷暖房切換用の四方弁７が設けられている。
【００３１】
又、圧縮機２の冷媒吸入管８は途中で二本に分岐されており、一方の配管には電磁弁３４が設けられている。又圧縮機２の冷媒吸入管８には吸入圧力を検知する吸入圧力検知装置１０が設けられている。又、室外機１には室外の温度を検出する室外吸込み温度検知装置１１が設けられている。
【００３２】
一方、室内機１２には室内熱交換器１３と、室内送風機１４と、室外機とつながる冷媒液管５と室内熱交換器１３の間にモータ等により弁開度をパルス制御可能な電動冷媒膨張弁１５と、室内熱交換器１３に熱交換器の温度を検出する室内熱交換器温度検知装置１６が設けられている。
【００３３】
また、室内機１２には部屋の室温を検出する室内吸込み温度検知装置１７と、居住者が希望する運転モード（冷房または暖房）と室温と運転あるいは停止を設定できる運転設定装置１８が設けられている
上記構成の冷凍サイクルにおいて、冷房あるいは除湿運転時、圧縮機２から吐出された冷媒は四方弁７を介して室外熱交換器３へと流れ、室外送風機４の駆動により室外熱交換器３で室外空気と熱交換して凝縮液化し、次に電動冷媒膨張弁１５を通過することにより減圧された冷媒は室内熱交換器１３で蒸発した後に、冷媒ガス管６を通り四方弁７を介して再び圧縮機２に吸入される。
【００３４】
電磁弁３４が開の場合は分岐された２本の経路を通って、電磁弁３４が閉の場合は１本のみを通って圧縮機２に吸入される。
【００３５】
次に、本発明の圧縮機周波数の制御及び冷媒吸入管の電磁弁の制御について説明する
本発明の空気調和機の制御装置１９には、居住者が希望する運転モード切替スイッチ２０（冷房、ドライ、送風または暖房）と室内温度設定スイッチ２１と運転停止スイッチ２２で構成されている運転設定装置１８の信号を記憶する運転モード記憶装置２３と、室内吸込み温度検知装置１７と、室内吸込み温度の設定値を記憶する室内吸込み温度設定記憶装置２４と、室外吸込み温度検知装置１１と、室外吸い込み温度の設定値を記憶する室外吸込み温度設定記憶装置２５と、室内熱交換器温度検知装置１６と、室内側の熱交換器温度の判定値を記憶する室内熱交換器温度設定記憶装置１（２６）、室内熱交換器温度設定記憶装置２（２７）と、圧縮機２の運転周波数の下限設定値を記憶する圧縮機最低周波数設定記憶装置２８と、
圧縮機２の冷媒吸入管８に設けられた吸入圧力検知装置１０と、吸入圧力値の上限設定値を記憶する吸入圧力設定記憶装置２９と以上の信号を定期的に検出するためのサンプリング時間を設定する運転時間設定記憶装置３０と、以上の信号をサンプリング時間毎受けて圧縮機２の運転周波数や圧縮機２の冷媒吸入管８に設けられた電磁弁３４の開閉を決定する判定装置３１と判定装置３１の信号により、圧縮機２や電磁弁３４を駆動する出力リレー回路３２を有している。
【００３６】
居住者が運転モード切替スイッチ２０で冷房またはドライを選択すると、運転モード記憶装置２３、室内吸込み温度検知装置１７、室外吸込み温度検知装置１１、室内吸い込み温度設定記憶装置２４、室外吸い込み温度設定記憶装置２５の信号により判定装置３１が圧縮機２の基本運転周波数Ｈｚ0を決定し出力リレー回路３２が圧縮機２を駆動するが（図９、ＳＴＥＰ０）、室内吸い込み温度検知装置１７の値が室内吸込み温度設定記憶装置２４（ここでは例えば２７℃）、室外吸い込み温度検知装１１の値が室外吸込み温度設定記憶装置２５（ここでは例えば２７℃）以下の場合は、吹き出し温度が低いと室内機１２の吹き出し回りに露がつく可能性があると判断し、図６に示す様に室内熱交換器１３の温度がＴｄ℃以下（図６のＣゾーン）に突入すると（ＳＴＥＰ１７）判定装置３１が圧縮機２の運転周波数をダウン（ここでは例えば前の運転周波数の０．９倍の値）するように出力リレー回路３２に指示を出し、低い周波数で圧縮機２を駆動し圧縮機２の能力を低下させ、室内熱交換器１３の温度を上ることにより、吹き出し温度を上昇させ、吹き出し口の周りに露がつかない様に制御する（ＳＴＥＰ２０）。
【００３７】
判定装置３１は運転時間設定記憶装置３０に設定された時間ごとに以上の動作を繰り返すが、図６に示す様に、室内熱交換器温度１３の値がＴｃ℃以上（図６のＢゾーン）に上昇すると判定装置３１は圧縮機２の周波数ダウンやめ、現周波数を維持する。このＢゾーンは室内機１２の吹き出し口に露が付かない各々の室内機固有の下限熱交換器温度に設定されている。
【００３８】
再び温度がＴd℃以下（Ｃゾーンに突入）になると周波数ダウンを行うが、室内熱交換器１３の温度がＴａ℃以上（図６のＡゾーンに突入）になると（ＳＴＥＰ１５）、判定装置３１は室内熱交換器１３の温度が十分高く、吹き出し温度も十分に高いと判断し、圧縮機２の運転周波数を基本運転周波数Ｈｚ0に戻す様に制御を行う（ＳＴＥＰ１６）。
【００３９】
しかし、室内熱交換器１３の温度がＴｄ℃以下（図６のＣゾーン）に突入し、判定装置３１が圧縮機２の運転周波数のダウンを繰り返すことにより、吸入圧力検知装置１０の値
（Ｐｓ）が吸入圧力設定記憶装置２９の値（Ｐａ）を上回ると（ＳＴＥＰ１３）、電磁弁３４をオフし、吸入圧力検知装置１０の値が下がるように制御を行う（流量が少なくなる方向へ制御）（ＳＴＥＰ１４）。
【００４０】
又、室内熱交換器１３の温度がＴｄ℃以下（図３のＣゾーン）に突入し、判定装置３１が圧縮機２の運転周波数のダウンを繰り返し、運転周波数（Ｈｚ）が運転周波数の下限値を設定した圧縮機最低周波数設定記憶装置２８の値（Ｈｚａ）に達すると（ＳＴＥＰ１８）、
電磁弁３４をオフし、室内熱交換器１３の温度が上がるように制御を行う（ＳＴＥＰ１９）。
【００４１】
これらの制御や負荷変動により室内熱交換器１３の温度がＴａ℃以上（図６のＡゾーンに突入）になると（ＳＴＥＰ１５）圧縮機２の運転周波数を基本運転周波数Ｈｚ0に戻す様に制御を行うが、（ＳＴＥＰ１６）このとき吸入圧力検知装置１０の値（Ｐｓ）が吸入圧力設定記憶装置２９の値（Ｐａ）を下回る（ＳＴＥＰ２１）電磁弁２２をオンするように制御を行う（ＳＴＥＰ２２）。
【００４２】
ここで、圧縮機最低周波数設定記憶装置２９の値は圧縮機２のメカ部にオイルを供給するのに必要な最低周波数で、これ以上周波数を下げるとオイルの供給が不足し、圧縮機２が破壊に至るという個々の圧縮機に固有の性能確保に大切で厳守すべき重要なスペックである。
【００４３】
また、電磁弁３４が設けられている分岐管３３は電磁弁３４が設けられていない分岐管より配管内径が十分大きく、電磁弁３４がオンの時はこちらに多くの冷媒が流れ、オフの時は室内熱交換器１３の出口圧力と圧縮機２の吸入圧力の差が十分大きくなるように設定されている。
【００４４】
そしてこの構成のよれば、空気調和装置の室内機の吹き出し口周りの露付きを回避できると同時に圧縮機吸入圧力の上昇による圧縮機破壊を回避でき、機器の信頼性及び圧縮機の信頼性が向上する。
よって、圧縮機などの機器を保護しながらかつ快適性を損なわず効果的に空気調和装置の運転が可能となる。
【図面の簡単な説明】
【００４５】
【図１】本発明の第１ならびに第２の実施の形態の冷凍サイクル図
【図２】本発明の第１の実施の形態の制御ブロック図
【図３】本発明の第１の実施の形態のフローチャート
【図４】本発明の第２の実施の形態の制御ブロック図
【図５】本発明の第２の実施の形態のフローチャート
【図６】温度ゾーン図
【図７】冷凍サイクル図
【図８】本発明の第３の実施の形態の制御ブロック図
【図９】本発明の第３の実施の形態のフローチャート
【図１０】従来の温度ゾーン図
【符号の説明】
【００４６】
１  室外機
２  圧縮機
３  室外熱交換器
４  室外送風機
５  冷媒液管
６  冷媒ガス管
７  四方弁
８  冷媒吸入管
９  電動膨張弁
１０  吸入圧力検知装置
１１  室外吸込み温度検知装置
１２  室内機
１３  室内熱交換器
１４  室内送風機
１５  電動冷媒膨張弁
１６  室内熱交換器検知装置
１７  室内吸込み温度検知装置
１８  運転設定装置
１９  制御装置
２４  室内吸込み温度設定記憶装置
２５  室外吸込み温度設定記憶装置
２６  室内熱交換器温度設定記憶装置１
２７  室内熱交換器温度設定記憶装置２
２８  圧縮機最低周波数設定記憶装置
２９  吸入圧力設定記憶装置
３４  電磁弁
【図１】
2005055053.tif 000003
【図２】
2005055053.tif 000004
【図３】
2005055053.tif 000005
【図４】
2005055053.tif 000006
【図５】
2005055053.tif 000007
【図６】
2005055053.tif 000008
【図７】
2005055053.tif 000009
【図８】
2005055053.tif 000010
【図９】
2005055053.tif 000011
【図１０】
2005055053.tif 000012